【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
第１のサブレイヤ内の第１の再送機構と、第２のサブレイヤ内の第２の再送機構を備えた無線通信システムにおいて、前記第１の再送機構によりデータを再送するための方法であって、
前記第１のサブレイヤ内の欠落フレームを検出することと、
前記第１のサブレイヤにおける各欠落フレームに対して動的タイマーを開始することであって、各欠落フレームに対する動的タイマーは、前記欠落フレームを送信するのに用いられる論理チャネルのそれぞれの候補組に関連することと、
前記第１のサブレイヤで首尾よく受信されたフレームに関連するパケットを伝送すると前記第２のサブレイヤで識別された論理チャネルを前記論理チャネルの候補組から除去することと、
前記候補組が空であるという決定に基づいて前記動的タイマーを更新することと、
欠落していると検出された前記フレームが失われたか否かを前記１つまたはそれ以上の動的タイマーに基づいて決定することと、
を具備する方法。
【請求項２】
前記第２のレイヤにおける新たなパケットが前記論理的チャネルを介して送信されたならば、候補セットから論理的チャネルが序供される請求項１に記載の方法。
【請求項３】
特定の時間間隔内に前記論理チャネルを介しての送信がないならば、候補セットから論理的チャネルが除去される請求項１に記載の方法。
【請求項４】
無線リンクプロトコル（ＲＬＰ）によって提供される第１の再送機構と、ハイブリッド自動再送制御機能（ＨＡＲＱ−ＣＦ）によって提供される第２の再送機構とを備えたＣＤＭＡ無線通信システムにおいて、前記ＲＬＰを介してデータを再送する方法であって、
欠落ＲＬＰフレームを検出することと、
各ＲＬＰフレームに対して動的タイマーを開始することであって、各動的タイマーは、前記欠落ＲＬＰフレームを送信するのに用いられるＡＲＱチャネルの各候補組に関連することと、
首尾よく受信したＲＬＰフレームに関連するＨＡＲＱパケットを伝送すると前記ＨＡＲＱ−ＣＦサブレイヤで識別されたＡＲＱチャネルをＡＲＱチャネルの候補組から除去することと、
前記代表的候補セットが空であるという決定に基づいて各動的タイマーを更新することと、
欠落していると検出されたＲＬＰフレームが失われたか否かを前記ＲＬＰに対して維持された前記動的タイマーに基づいて決定することと、
を具備する方法。
【請求項５】
新たなＨＡＲＱパケットが前記ＡＲＱチャネルを介して送信されたならば、候補セットからＡＲＱチャネルが除去される請求項４に記載の方法。
【請求項６】
特定の時間間隔内に前記ＡＲＱチャネルを介しての送信がないならば、候補セットからＡＲＱチャネルが除去される請求項４に記載の方法。
【請求項７】
前記特定の時間間隔は、与えられたＡＲＱチャネルに関して送信を受信する可能性に基づいて選択される請求項６に記載の方法。
【請求項８】
第１のサブレイヤ内の第１の再送機構と、第２のサブレイヤ内の第２の再送機構を備えた無線通信システムにおいて、失われたフレームを検出する方法であって、
第１のサブレイヤで欠落していると検出された欠落フレームに対して動的タイマーを開始することであって、前記動的タイマーは、前記欠落フレームを送信するのに用いられる論理チャネルの候補組に関連することと、
前記第１のサブレイヤで首尾よく受信したフレームに関連するパケットが第２のサブレイヤで受信された論理チャネルを、論理チャネルの候補組から除去することと、
前記候補組が空のときに前記動的タイマーを更新することと、
前記動的タイマーに基づいて前記欠落フレームが失われたフレームであると決定することと、
を具備する方法。
【請求項９】
前記動的タイマーを更新することは、前記動的タイマーを満了するように設定することを含む請求項８に記載の方法。
【請求項１０】
前記第１のサブレイヤは無線リンクプロトコル（ＲＬＰ）に従い、前記第２のサブレイヤは、前記ＲＬＰの下部に配置されたハイブリッド自動再送制御機能（ＨＡＲＱ−ＣＦ）に従う請求項８に記載の方法。
【請求項１１】
前記欠落フレームは失われたフレームであると決定することは、前記動的タイマーが満了するときに前記欠落フレームは失われたフレームであると決定することを含む請求項８に記載の方法。
【請求項１２】
前記第１の再送機能を用いて前記第１のサブレイヤにおける前記失われたフレームの再送を要求することをさらに具備する請求項８に記載の方法。
【請求項１３】
前記除去することは、所定の時間間隔の間に、パケットが送信されなかった論理チャネルを除去することを含む請求項８に記載の方法。
【請求項１４】
複数の欠落フレームの各々に対して複数の動的タイマーの各々を開始することをさらに含む請求項８に記載の方法。
【請求項１５】
前記欠落フレームが受信されたときに前記動的タイマーをキャンセルすることをさらに含む請求項８に記載の方法。
【請求項１６】
第１のサブレイヤ内の第１の再送機構と、第２のサブレイヤ内の第２の再送機構を備えた無線通信システムにおいて、失われたフレームを検出するプロセッサであって、前記プロセッサは、
第１のサブレイヤで欠落していると検出された欠落フレームに対して動的タイマーを開始することであって、前記動的タイマーは、前記欠落フレームを送信するのに用いられる論理チャネルの候補組に関連するステップと、
前記第１のサブレイヤで首尾よく受信したフレームに関連するフレームが第２のサブレイヤで受信された論理チャネルを、論理チャネルの候補組から除去するステップと、
前記候補組が空のときに前記動的タイマーを更新するステップと、
前記動的タイマーに基づいて前記欠落フレームは失われたフレームであると決定するステップと、を実行するように構成されるプロセッサ。
【請求項１７】
前記動的タイマーを更新することは、前記動的タイマーを満了するように設定することを含む請求項１６に記載のプロセッサ。
【請求項１８】
前記第１のサブレイヤは無線リンクプロトコル（ＲＬＰ）に従い、前記第２のサブレイヤは、前記ＲＬＰの下部に配置されたハイブリッド自動再送制御機能（ＨＡＲＱ−ＣＦ）に従う請求項１６に記載のプロセッサ。
【請求項１９】
前記欠落フレームは失われたフレームであると決定することは、前記動的タイマーが満了するときに前記欠落フレームは失われたフレームであると決定することを含む請求項１６に記載のプロセッサ。
【請求項２０】
前記第１の再送機能を用いて前記第１のサブレイヤにおける前記失われたフレームの再送を要求することをさらに具備する請求項１９に記載のプロセッサ。
【請求項２１】
前記除去することは、所定の時間間隔の間に、パケットが送信されなかった論理チャネルを除去することを含む請求項１６に記載のプロセッサ。
【請求項２２】
前記プロセッサはさらに、複数の欠落フレームの各々に対して複数の動的タイマーの各々を開始するステップを実行するように構成される請求項１６に記載のプロセッサ。
【請求項２３】
前記プロセッサはさらに、前記欠落フレームが受信されたときに前記動的タイマーをキャンセルするステップを実行するように構成される請求項１６に記載のプロセッサ。
【請求項２４】
第１のサブレイヤ内の第１の再送機構と、第２のサブレイヤ内の第２の再送機構を備えた無線通信システムにおける受信機であって、
復号されたデータを提供するためにデータ送信を処理するように動作可能なＲＸデータプロセッサと、
第１のサブレイヤで欠落していると検出された欠落フレームに対して動的タイマーを開始することであって、前記動的タイマーは、前記欠落フレームを送信するのに用いられる論理チャネルの候補組に関連し、
前記第１のサブレイヤで首尾よく受信したフレームに関連するパケッとが第２のサブレイヤで受信された論理チャネルを、論理チャネルの候補組から除去し、
前記候補組が空のときに前記動的タイマーを更新し、
前記動的タイマーに基づいて前記欠落フレームが失われたフレームであると決定する、ように動作可能なコントローラと、
を具備する受信機。
【請求項２５】
前記コントローラは、前記動的タイマーを満了するように設定することによって前記動的タイマーを更新すべく動作可能である請求項２４に記載の受信機。
【請求項２６】
前記第１のサブレイヤは無線リンクプロトコル（ＲＬＰ）に従い、前記第２のサブレイヤは、前記ＲＬＰの下部に配置されたハイブリッド自動再送制御機能（ＨＡＲＱ−ＣＦ）に従う請求項２４に記載の受信機。
【請求項２７】
前記コントローラはさらに、前記動的タイマーが満了するときに前記欠落フレームが失われたフレームであると決定することによって、前記欠落フレームは失われたフレームであると決定するように動作可能な請求項２４に記載の受信機。
【請求項２８】
前記コントローラはさらに、前記第１の再送機能を用いて前記第１のサブレイヤにおける前記失われたフレームの再送を要求するように動作可能な請求項２７に記載の受信機。
【請求項２９】
前記コントローラは、所定の時間間隔の間に、パケットが送信されなかった論理チャネルを候補セットから除去するように動作可能な請求項２４に記載の受信機。
【請求項３０】
前記コントローラは、複数の欠落フレームの各々に対して複数の動的タイマーの各々を開始するように動作可能である請求項２４に記載の受信機。
【請求項３１】
前記コントローラはさらに、前記欠落フレームが受信されたときに前記動的タイマーをキャンセルするように動作可能である請求項２４に記載の受信機。